(57)【要約】【課題】テレビ携帯電話により通信し、車内の制御スイッチの制御及び操作を行い、車両の盗難を防ぐことができる車両用能動式遠隔盗難防止暗号化オン／オフ装置を提供する。【解決手段】車両用能動式遠隔盗難防止暗号化オン／オフ装置は、無線通信により遠隔画像及び情報を伝送し、無線通信により車内制御スイッチのオン／オフを遠隔操作し、少なくとも１つのテレビ携帯電話１、遠隔撮影装置２、制御ホスト３、記憶装置４、受信装置５及びセンサユニット６を備える。少なくとも１つのテレビ携帯電話１は、無線通信の通信システムＢと通信し、暗号化した信号を送受信する３Ｇ以上のテレビ携帯電話である。遠隔撮影装置２は、車内を撮影して監視する撮像ユニットである。【選択図】図１
0003164989.tif 000002
【実用新案登録請求の範囲】
【請求項１】
無線通信により遠隔画像及び情報を伝送し、無線通信により車内制御スイッチのオン／オフを遠隔操作し、少なくとも１つのテレビ携帯電話、遠隔撮影装置、制御ホスト、記憶装置、受信装置及びセンサユニットを備えた車両用能動式遠隔盗難防止暗号化オン／オフ装置であって、
前記少なくとも１つのテレビ携帯電話は、無線通信の通信システムと通信し、暗号化した信号を送受信する３Ｇ以上のテレビ携帯電話であり、
前記遠隔撮影装置は、車内を撮影して監視する撮像ユニットであり、
前記制御ホストは、車内に配置され、前記無線通信の通信システムを用いて特定の前記テレビ携帯電話と通信して暗号化した信号を送受信し、暗号化した信号を復号して復調し、オーディオビデオ信号及びオン／オフ信号を生成させる遠隔受信装置であり、
前記記憶装置は、前記制御ホストの中央処理装置から前記オーディオビデオ信号を受信して保存し、
前記受信装置は、前記車内制御スイッチ内に配置され、前記制御ホストの前記中央処理装置から前記オン／オフ信号を受信し、前記車内制御スイッチのオン／オフを行い、
前記センサユニットは、車内の異常の有無を探知する探知ユニットであり、前記制御ホストの前記中央処理装置及び前記遠隔撮影装置へ探知信号を送信し、前記遠隔撮影装置から前記制御ホストの前記中央処理装置へ撮影した画像を伝送することを特徴とする車両用能動式遠隔盗難防止暗号化オン／オフ装置。
【請求項２】
前記制御ホストは、
無線通信の通信システムを用いて特定の前記テレビ携帯電話と通信し、暗号化した信号を送受信する遠隔受信装置である受信インタフェースと、
前記受信インタフェースから受信した暗号化された信号を復号して復調する処理器であるデジタル信号処理器と、
前記遠隔撮影装置からの画像と、前記デジタル信号処理器により復号された信号とを受信し、前記オーディオビデオ信号及び前記オン／オフ信号を出力し、前記オーディオビデオ信号が前記受信インタフェースにより受信され、特定の前記テレビ携帯電話に送信して保存し、前記車内制御スイッチへ前記オン／オフ信号を送信する中央処理装置と、を有することを特徴とする請求項１に記載の車両用能動式遠隔盗難防止暗号化オン／オフ装置。
【請求項３】
前記センサユニットは、ジャイロを有する水平センサ、振動センサ、気圧センサ、赤外線センサ又は煙センサであることを特徴とする請求項２に記載の車両用能動式遠隔盗難防止暗号化オン／オフ装置。
【考案の詳細な説明】
【技術分野】
【０００１】
本考案は、車両用能動式遠隔盗難防止暗号化オン／オフ装置に関し、特に、無線通信装置を利用し、テレビ携帯電話により通信し、車内の制御スイッチの制御及び操作を行い、車両の盗難を防ぐことができる車両用能動式遠隔盗難防止暗号化オン／オフ装置に関する。
【背景技術】
【０００２】
一般に、自動車などの車両の所有者は、車両が盗まれないように、車両に盗難防止装置を取り付けるが、盗難防止装置の技術を上回る高度な盗難手段により約３〜５分間で自動車が盗まれることがある。
【０００３】
今日の衛星通信及びインターネットの通信技術の発展により、スマート型、グローバル・ポジショニング・システム（ＧＰＳ）などの盗難防止装置が開発されている。このＧＰＳ盗難防止システムは、車両が盗まれたときに、盗難車両の位置を探し出すことができるため、警報音を鳴らして盗難を防止する従来の盗難防止装置より優れている。しかし、従来のＧＰＳ盗難防止システムは、車両の位置を知ることができるが、車両の所有者に知らせる方式が受動式であるため、侵入者と話したり、録画したり、遠隔操作で盗難行為を防いだりすることはできなかった。
【考案の概要】
【考案が解決しようとする課題】
【０００４】
本考案の目的は、無線通信装置を利用し、テレビ携帯電話により通信し、車内の制御スイッチの制御及び操作を行い、車両の盗難を防ぐことができる車両用能動式遠隔盗難防止暗号化オン／オフ装置を提供することにある。
【課題を解決するための手段】
【０００５】
上記課題を解決するために、本考案の第１の形態によれば、無線通信により遠隔画像及び情報を伝送し、無線通信により車内制御スイッチのオン／オフを遠隔操作し、少なくとも１つのテレビ携帯電話、遠隔撮影装置、制御ホスト、記憶装置、受信装置及びセンサユニットを備えた車両用能動式遠隔盗難防止暗号化オン／オフ装置であって、前記少なくとも１つのテレビ携帯電話は、無線通信の通信システムと通信し、暗号化した信号を送受信する３Ｇ以上のテレビ携帯電話であり、前記遠隔撮影装置は、車内を撮影して監視する撮像ユニットであり、前記制御ホストは、車内に配置され、前記無線通信の通信システムを用いて特定の前記テレビ携帯電話と通信して暗号化した信号を送受信し、暗号化した信号を復号して復調し、オーディオビデオ信号及びオン／オフ信号を生成させる遠隔受信装置であり、前記記憶装置は、前記制御ホストの中央処理装置から前記オーディオビデオ信号を受信して保存し、前記受信装置は、前記車内制御スイッチ内に配置され、前記制御ホストの前記中央処理装置から前記オン／オフ信号を受信し、前記車内制御スイッチのオン／オフを行い、前記センサユニットは、車内の異常の有無を探知する探知ユニットであり、前記制御ホストの前記中央処理装置及び前記遠隔撮影装置へ探知信号を送信し、前記遠隔撮影装置から前記制御ホストの前記中央処理装置へ撮影した画像を伝送することを特徴とする車両用能動式遠隔盗難防止暗号化オン／オフ装置が提供される。
【０００６】
また、前記制御ホストは、無線通信の通信システムを用いて特定の前記テレビ携帯電話と通信し、暗号化した信号を送受信する遠隔受信装置である受信インタフェースと、前記受信インタフェースから受信した暗号化された信号を復号して復調する処理器であるデジタル信号処理器と、前記遠隔撮影装置からの画像と、前記デジタル信号処理器により復号された信号とを受信し、前記オーディオビデオ信号及び前記オン／オフ信号を出力し、前記オーディオビデオ信号が前記受信インタフェースにより受信され、特定の前記テレビ携帯電話に送信して保存し、前記車内制御スイッチへ前記オン／オフ信号を送信する中央処理装置と、を有することが好ましい。
【０００７】
また、前記センサユニットは、ジャイロを有する水平センサ、振動センサ、気圧センサ、赤外線センサ又は煙センサであることが好ましい。
【考案の効果】
【０００８】
本考案の車両用能動式遠隔盗難防止暗号化オン／オフ装置は、無線通信装置を利用し、テレビ携帯電話により通信し、車内の制御スイッチの制御及び操作を行い、車両の盗難を防ぐことができる。
【図面の簡単な説明】
【０００９】
【図１】本考案の一実施形態による車両用能動式遠隔盗難防止暗号化オン／オフ装置を示す模式図である。
【図２】本考案の一実施形態による車両用能動式遠隔盗難防止暗号化オン／オフ装置を示すブロック図である。
【図３】本考案の一実施形態による車両用能動式遠隔盗難防止暗号化オン／オフ装置を実際に使用するときの状態を示す模式図である。
【考案を実施するための形態】
【００１０】
図１及び図２を参照する。図１及び図２に示すように、本考案の一実施形態による車両用能動式遠隔盗難防止暗号化オン／オフ装置は、無線通信により遠隔画像及び情報（ｉｎｆｏｒｍａｔｉｏｎ）を伝送し、無線通信により車内制御スイッチＡのオン／オフを遠隔操作し、少なくとも１つのテレビ携帯電話（画像表示を行うことが可能な携帯電話）１、遠隔撮影装置２、制御ホスト３、記憶装置４、受信装置５及びセンサユニット６を含む。
【００１１】
少なくとも１つのテレビ携帯電話１は、画像表示を行うことが可能な３Ｇ（第３世代移動通信）以上のテレビ携帯電話であり、無線通信の通信システムＢと通信し、暗号化した信号を送受信する特定のテレビ電話１である。
【００１２】
遠隔撮影装置２は、車内を撮影して監視するために用いる撮像ユニットである。
【００１３】
制御ホスト３は、無線通信の通信システムＢにより特定のテレビ携帯電話１と通信し、暗号化された信号を復号して復調し（ｄｅｍｏｄｕｌａｔｅ）、オーディオビデオ信号３３１及びオン／オフ信号３３２を生成させる遠隔受信装置である。制御ホスト３は、受信インタフェース３１、デジタル信号処理器３２及び中央処理装置３３を含む。受信インタフェース３１は、無線通信の通信システムＢを介して特定のテレビ携帯電話１と暗号化した信号で通信を行う遠隔受信装置である。デジタル信号処理器３２は、受信インタフェース３１から暗号化された信号を受信し、復号して復調する処理器である。中央処理装置３３は、遠隔撮影装置２からの画像と、デジタル信号処理器３２により復号された信号とを受信し、オーディオビデオ（画像及び音声）信号３３１及びオン／オフ信号３３２を出力し、オーディオビデオ信号３３１が受信インタフェース３１により受信され、特定のテレビ携帯電話１が受信して保存し、オン／オフ信号３３２を車内制御スイッチＡへ送信する。
【００１４】
記憶装置４は、制御ホスト３の中央処理装置３３から伝送されたオーディオビデオ信号３３１を保存するために用いる。
【００１５】
受信装置５は、車内制御スイッチＡの中に配置され、制御ホスト３の中央処理装置３３からオン／オフ信号３３２を受信し、車内制御スイッチＡのオン／オフを行う。
【００１６】
センサユニット６は、車内の異常の有無を探知するために用いる探知ユニットであり、制御ホスト３の中央処理装置３３及び遠隔撮影装置２へ探知信号を、遠隔撮影装置２から制御ホスト３の中央処理装置３３へ撮影した画像と共に送信する。
【００１７】
図２及び図３を参照する。図２及び図３に示すように、車内に配置される制御ホスト３は、１組又は多数組の特定権限を有するテレビ携帯電話１に制御ホスト３へアクセスする権限を与えるとともに、暗号化設定する。
【００１８】
本実施形態の車両用能動式遠隔盗難防止暗号化オン／オフ装置を実際に使用する例を以下説明する。例えば、駐車した車両のドアをロックし忘れた場合、特定のテレビ携帯電話１を用いて無線通信装置と通信し、命令することができる。特定権限のテレビ携帯電話１が無線通信により制御ホスト３の受信インタフェース３１と通信し、暗号化設定のパスワードを入力すると、受信インタフェース３１が情報を受信することができる。デジタル信号処理器３２は、受信インタフェース３１が受信した暗号化された信号を復号して復調し、復号された信号を受信した中央処理装置３３は、復号した信号に基づきオーディオビデオ（画像及び音声）信号３３１及びオン／オフ信号３３２を出力する。受信装置５がオン／オフ信号３３２を受信すると、受信装置５によりオン／オフ信号３３２を実行し、車両ドアのオン／オフを制御する中央制御ロック（ｃｅｎｔｒａｌ  ｃｏｎｔｒｏｌｌｅｄ  ｌｏｃｋ）を起動してドアをロックする。テレビ携帯電話１と制御ホスト３とが通信され、遠隔撮影装置２が撮影した画像及び音声（即ち、オーディオビデオ信号３３１）は、無線通信により特定のテレビ携帯電話１に伝送され、テレビ携帯電話１中の記憶装置４にオーディオビデオ信号３３１を保存したり、通信会社が提供するクラウド記憶装置４へ送信したりしてもよい。テレビ携帯電話１は、受信インタフェース３１に応じて単数回、多数回又は継続的に情報を送信し、様々な車内制御スイッチＡのスイッチを同時に制御したり操作したりしてもよい。
【００１９】
本実施形態の車両用能動式遠隔盗難防止暗号化オン／オフ装置を実際に使用する際は、例えば、郊外に駐車されている車両に他人がドアをこじ開けたり車内に侵入した場合、センサユニット６により、異常を探知する。センサユニット６は、例えば、車両の揺れ（例えば、人が侵入する際に発生する揺れや人以外の動物が接触して発生する揺れ）情報を探知するジャイロを有する水平センサ又は振動センサや、車内の気圧変化を探知する気圧センサ（例えば、人が侵入する際に発生する気圧変化や物が当たったりその他の原因により発生する気圧変化を探知する）や、赤外線センサ（例えば、車内の座席に人が座ったことを遮断センサにより探知する）や、煙センサ（車内の温度が高くなったりその他の原因により引火して発生した煙を探知する）など、様々なセンサを利用して車内の異常な状態を探知してもよい。上述のセンサユニット６は、１つ又は複数でもよい。続いて、探知により生成されたセンサ信号は、遠隔撮影装置２が録画した画像とともに中央処理装置３３により復号され、無線通信の通信システムＢによりユーザのテレビ携帯電話１へオーディオビデオ信号３３１を送信する。これにより、オーディオビデオ信号３３１を受信したユーザは、侵入者の状態を見ることができる。ユーザがテレビ携帯電話１を用いて命令すると、特定権限を有するテレビ携帯電話１は、無線信号により制御ホスト３の受信インタフェース３１と通信し、暗号化設定のパスワードが入力されると、受信インタフェース３１により情報を受信したときに、デジタル信号処理器３２により受信インタフェース３１が受信した暗号化信号を復号して復調し、中央処理装置３３へ暗号化された信号を送信する。中央処理装置３３は、この暗号化された信号に基づき、オーディオビデオ信号３３１及びオン／オフ信号３３２を出力し、車内制御スイッチＡの受信装置５がオン／オフ信号３３２を受信すると、ドアを閉じたり、ドアの電源をオフしたり、警告音を鳴らしたりして盗難者が車両に侵入することを防ぐとともに警察に通報する。続いて、録画した画像（即ち、オーディオビデオ信号３３１）を無線通信により特定のテレビ携帯電話１へ送信し、テレビ携帯電話１内の記憶装置４へオーディオビデオ信号３３１を保存したり、通信システムＢのクラウド記憶装置４へ送信したりする。
【００２０】
本考案の車両用能動式遠隔盗難防止暗号化オン／オフ装置は、従来技術と異なり以下（１）〜（３）の長所を有する。
（１）無線通信方式を採用しているため、携帯電話が使用できる場所であれば信号を送信することができ、電線、ケーブルなどの有線方式により通信を行う必要がない上、有線帯域の問題もなく、有線設備の構築に必要なコストがかからない。
（２）車内に盗難防止のスイッチ制御管理システムを構築し、遠隔無線通信制御を行い、車両の安全を確保する。
（３）車内の制御スイッチとユーザの特定のテレビ携帯電話との間は、互いに対応した能動式と受動式との接続関係にあり（一方が能動式の場合、他方が受動式である。）、無線通信を利用して受信インタフェースにより両者間で信号の送受信を行い、能動的にコマンドを実行して能動的に情報を提供する。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１  テレビ携帯電話
２  遠隔撮影装置
３  制御ホスト
４  記憶装置
５  受信装置
６  センサユニット
３１  受信インタフェース
３２  デジタル信号処理器
３３  中央処理装置
３３１  オーディオビデオ信号
３３２  オン／オフ信号
Ａ  車内制御スイッチ
Ｂ  通信システム
【図１】
0003164989.tif 000003
【図２】
0003164989.tif 000004
【図３】
0003164989.tif 000005